(57)【要約】【課題】  エレベータの点検作業に関する案内情報を、エレベータ利用者に確実に認識させるためのエレベータ制御装置を提供する。【解決手段】  実施形態によればエレベータ制御装置は、内部計時部と、点検作業情報記憶部と、判定部と、表示制御部と、音声出力制御部とを備える。内部計時部は、現在日時情報を取得する。点検作業情報記憶部は、エレベータの点検作業開始日時を含む点検作業情報を取得し、記憶する。判定部は、現在日時情報が点検作業情報に含まれる点検作業開始日時の所定期間前以降、且つ点検作業開始日時前であるか否かを判定する。現在日時情報が点検作業情報に含まれる点検作業開始日時の所定期間前以降、且つ点検作業開始日時前であると判定されると、表示制御部は点検作業情報を乗場表示装置およびかご内表示装置に表示させ、音声出力制御部は点検作業情報を乗場音声出力装置およびかご内音声出力装置から音声で出力させる。【選択図】図１
2015044652.tif 000002
【特許請求の範囲】
【請求項１】
エレベータの各乗場に設置された乗場表示装置および乗場音声出力装置と、乗りかごに設置されたかご内表示装置およびかご内音声出力装置とに接続されたエレベータ制御装置において、
現在日時情報を取得する内部計時部と、
前記エレベータの点検作業開始日時を含む点検作業情報を取得して記憶する点検作業情報記憶部と、
前記内部計時部で取得された現在日時情報が、前記記憶された点検作業情報に含まれる点検作業開始日時の所定期間前以降、且つ前記点検作業開始日時前であるか否かを判定する判定部と、
前記現在日時情報が、前記点検作業開始日時の所定期間前以降、且つ前記点検作業開始日時前であると判定されたときに、前記点検作業情報記憶部に記憶された点検作業情報を取得し、前記乗場表示装置および前記かご内表示装置に、テキスト文字または背景部分の少なくともいずれかの色情報を通常時とは異なる情報に変更するかまたは、テキスト文字を点滅させて表示させる表示制御部と、
前記現在日時情報が、前記点検作業開始日時の所定期間前以降、且つ前記点検作業開始日時前であると判定されたときに、前記点検作業情報記憶部に記憶された点検作業情報を取得し、前記乗場音声出力装置および前記かご内音声出力装置から所定時間間隔で音声で出力させる音声出力制御部と
を備えることを特徴とするエレベータ制御装置。
【請求項２】
前記表示制御部により点検作業情報が表示され、また前記音声出力制御部により点検作業情報が出力された後に、変更された点検作業情報を取得すると、当該変更された点検作業情報に基づいて、前記点検作業情報記憶部に記憶された点検作業情報を更新する点検作業情報更新部をさらに備え、
前記表示制御部は、前記点検作業情報記憶部に記憶された点検作業情報が更新されたことを検知すると、前記乗場表示装置および前記かご内表示装置に、前記変更された点検作業情報とともに、点検作業情報が変更されたことを報知する情報を表示させ、
前記音声出力制御部は、前記点検作業情報記憶部に記憶された点検作業情報が更新されたことを検知すると、前記乗場音声出力装置および前記かご内音声出力装置から、前記変更された点検作業情報とともに、点検作業情報が変更されたことを報知する情報を音声で出力させる
ことを特徴とする請求項１に記載のエレベータ制御装置。
【発明の詳細な説明】
【技術分野】
【０００１】
本発明の実施形態は、エレベータ制御装置に関する。
【背景技術】
【０００２】
従来、エレベータの点検作業中には当該エレベータを利用できないことを利用者に知らせるため、作業員が各階のエレベータ乗場に「点検中」の札を設置していた。
【０００３】
この作業の手間を軽減させるため、エレベータが点検モードになったことを検知すると、各階のエレベータ乗場や乗りかごの表示装置に点検作業に関する案内情報を表示させるシステムがある。
【先行技術文献】
【特許文献】
【０００４】
【特許文献１】特開２００８−７４５３４号公報
【発明の概要】
【発明が解決しようとする課題】
【０００５】
しかし、上述したシステムによりエレベータ乗場や乗りかごの表示装置に案内情報を表示させても、目の不自由な障害者や高齢者などは表示内容を認識できないことがあり、より確実にすべての利用者に点検作業に関する案内情報を報知する手段が求められていた。
【０００６】
本発明は上記事情に鑑みてなされたものであり、エレベータの点検作業に関する案内情報を、エレベータ利用者に確実に認識させるためのエレベータ制御装置を提供することを目的とする。
【課題を解決するための手段】
【０００７】
上記目的を達成するための実施形態によればエレベータ制御装置は、内部計時部と、点検作業情報記憶部と、判定部と、表示制御部と、音声出力制御部とを備える。内部計時部は、現在日時情報を取得する。点検作業情報記憶部は、エレベータの点検作業開始日時を含む点検作業情報を取得し、記憶する。判定部は、現在日時情報が点検作業情報に含まれる点検作業開始日時の所定期間前以降、且つ点検作業開始日時前であるか否かを判定する。現在日時情報が点検作業情報に含まれる点検作業開始日時の所定期間前以降、且つ点検作業開始日時前であると判定されると、表示制御部は点検作業情報を乗場表示装置およびかご内表示装置に表示させ、音声出力制御部は点検作業情報を乗場音声出力装置およびかご内音声出力装置から音声で出力させる。
【図面の簡単な説明】
【０００８】
【図１】一実施形態によるエレベータ制御装置を利用したエレベータシステムの構成を示す全体図。
【図２】一実施形態によるエレベータ制御装置の構成を示すブロック図。
【図３】一実施形態によるエレベータ制御装置の動作を示すフローチャート。
【図４】一実施形態によるエレベータ制御装置の制御により点検作業情報が表示された乗場表示装置およびかご内表示装置の一例。
【発明を実施するための形態】
【０００９】
〈一実施形態によるエレベータ制御装置を利用したエレベータシステムの構成〉
本発明の一実施形態によるエレベータ制御装置を利用したエレベータシステム１の構成について、図１を参照して説明する。
【００１０】
本実施形態によるエレベータシステム１は、複数のエレベータに関する情報を集中管理する情報センタ装置２と、情報センタ装置２に接続され、エレベータの点検作業員が操作する保守パソコン３と、情報センタ装置２に無線接続されたエレベータ監視装置４と、エレベータ監視装置４に光ケーブル等で接続され、エレベータごとに設置されたエレベータ制御盤５と、エレベータ制御盤５に昇降路ケーブル６を介して接続された、各階床の乗場７の乗場表示装置７１および乗場音声出力装置７２と、エレベータ制御盤５にテールコード８を介して接続された乗りかご９内のかご内表示装置９１、かご内音声出力装置９２、および点検スイッチ９３とを備える。
【００１１】
エレベータ制御盤５は、図２に示すように、内部計時部５１と、点検作業情報記憶部５２と、判定部５３と、表示制御部５４と、音声出力制御部５５と、点検作業情報更新部５６とを有する。
【００１２】
内部計時部５１は、エレベータ制御盤５内部に搭載されたリアルタイムクロックであり、現在日時情報を取得する。
【００１３】
点検作業情報記憶部５２は、エレベータの点検作業開始日時を含む点検作業情報を取得し、記憶する。
【００１４】
判定部５３は、内部計時部５１で取得された現在日時情報が、点検作業情報記憶部５２に記憶された点検作業情報に含まれる点検作業開始日時の、所定期間前以降、且つ点検作業開始日時前であるか否かを判定する。
【００１５】
表示制御部５４は、通常時は、乗場表示装置７１およびかご内表示装置９１に乗りかごの現在位置情報や移動方向を示す情報を表示させ、現在日時情報が点検作業開始日時の所定期間前以降、且つ点検作業開始日時前であると判定されたときに、点検作業情報記憶部５２に記憶された点検作業情報を取得し、かご内表示装置９１および乗場表示装置７１に表示させる。
【００１６】
また、点検作業情報記憶部５２に記憶された点検作業情報が更新されたことを検知すると、乗場表示装置７１およびかご内表示装置９１に、変更された点検作業情報とともに、点検作業情報が変更されたことを報知する情報を表示させる。
【００１７】
音声出力制御部５５は、現在日時情報が、点検作業開始日時の所定期間前以降であると判定されたときに、点検作業情報記憶部５２に記憶された点検作業情報を取得し、かご内音声出力装置９２および乗場音声出力装置７２から音声で出力させる。
【００１８】
また、点検作業情報記憶部５２に記憶された点検作業情報が更新されたことを検知すると、かご内音声出力装置９２および乗場音声出力装置７２から、変更された点検作業情報とともに、点検作業情報が変更されたことを報知する情報を音声で出力させる。
【００１９】
点検作業情報更新部５６は、点検作業情報が表示や音声で出力された後に、変更された点検作業情報を取得すると、当該変更された点検作業情報に基づいて、点検作業情報記憶部５２に記憶された点検作業情報を更新する。
【００２０】
〈一実施形態によるエレベータ制御装置を利用したエレベータシステムの動作〉
次に、本実施形態によるエレベータシステム１において、点検作業情報が入力された際に実行される処理について説明する。
【００２１】
まず、エレベータの点検作業員により保守パソコン３が操作され、点検日時情報「９月１日１０時〜１２時」を含む点検作業情報が入力されると、情報センタ装置２に送信される。情報センタ装置２では、取得された点検作業情報が該当するエレベータ監視装置４に転送され、さらにエレベータ制御盤５に送信される。
【００２２】
エレベータ制御盤５において、点検作業情報を受信したときの動作について、図３のフローチャートを参照して説明する。エレベータ制御盤５では、内部計時部５１において現在時刻情報が所定時間間隔で取得されている。
【００２３】
エレベータ制御盤５で受信された点検作業情報は、点検作業情報記憶部５２に記憶される（Ｓ１の「YES」、Ｓ２）。
【００２４】
次に判定部５３において、内部計時部５１で取得された現在日時情報が、点検作業情報記憶部５２に記憶された点検作業情報に含まれる点検作業開始日時の、所定期間前以降、且つ点検作業開始日時前であるか否かが判定される。本実施形態において「所定期間」は「２週間」とし、現在時刻情報が「８月２０日１０時」であり、点検作業開始日時の２週間前「８月１８日１０時」以降、且つ点検作業開始日時「９月１日１０時」前であると判定されたものとする（Ｓ３の「YES」）。
【００２５】
このように判定されると、表示制御部５４により、点検作業情報記憶部５２に記憶された点検作業情報が取得され、乗場表示装置７１およびかご内表示装置９１に表示される。
【００２６】
乗場表示装置７１およびかご内表示装置９１に表示された点検作業情報の一例を、図４に示す。
【００２７】
図４に示す乗場表示装置７１およびかご内表示装置９１には、運転状況情報表示部７１ａ、９１ａに現在の乗りかご９の位置情報（該当する階床情報）や運転方向情報（矢印）が表示されるとともに、点検作業情報表示部７１ｂ、９１ｂに、点検作業情報としてテキスト情報「次回の点検日時は９月１日１０〜１２時」が表示されている。
【００２８】
このとき、乗場表示装置７１またはかご内表示装置９１に表示させるテキスト文字および背景部分の少なくともいずれかの色情報を、通常時とは異なる情報に変更するかまたは、表示させるテキスト文字を点滅させるようにすることで、利用者の注意をひくことができ、さらに確実に点検作業情報を認識させることができる。
【００２９】
また、音声出力制御部５５により、点検作業情報記憶部５２に記憶された点検作業情報が取得され、かご内音声出力装置９２および乗場音声出力装置７２から音声で出力される（Ｓ４）。点検作業情報の音声出力は、点検作業開始日時までの間、所定時間（例えば数分）おきに実行される。
【００３０】
このように点検作業情報の表示や音声出力が開始された後、エレベータ制御盤５において、変更された点検作業情報「９月２日１０〜１２時」が取得されると（Ｓ５の「YES」）、当該変更された点検作業情報に基づいて、点検作業情報記憶部５２に記憶された点検作業情報が更新される（Ｓ６）。
【００３１】
点検作業情報記憶部５２に記憶された点検作業情報が更新されると、表示制御部５４により、かご内表示装置９１および乗場表示装置７１に、変更された点検作業情報とともに点検作業情報が変更されたことを報知する情報が表示される。また、音声出力制御部５５により、かご内音声出力装置９２および乗場音声出力装置７２から、変更された点検作業情報とともに、点検作業情報が変更されたことを報知する情報が音声で出力される（Ｓ７）。
【００３２】
そして点検作業開始日時になり、点検作業員により乗りかご９内の点検スイッチ９３がＯＮに操作されると（Ｓ８）、表示制御部５４によりかご内表示装置９１および乗場表示装置７１の表示が消灯され、音声出力制御部５５によるかご内音声出力装置９２および乗場音声出力装置７２からの音声出力が停止される（Ｓ９）。
【００３３】
以上の本実施形態によれば、エレベータの点検作業に関する案内情報を、点検作業開始の所定期間前から表示と音声出力との双方で行うことにより、目の不自由な障害者や高齢者などにも確実に点検作業情報を認識させることができる。
【００３４】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３５】
１…エレベータシステム
２…情報センタ装置
３…保守パソコン
４…エレベータ監視装置
５…エレベータ制御盤
６…昇降路ケーブル
７…乗場
８…テールコード
５１…内部計時部
５２…点検作業情報記憶部
５３…判定部
５４…表示制御部
５５…音声出力制御部
５６…点検作業情報更新部
７１…乗場表示装置
７１ａ…運転状況情報表示部
７１ｂ…点検作業情報表示部
７２…乗場音声出力装置
９１…かご内表示装置
９２…かご内音声出力装置
９３…点検スイッチ
【図１】
2015044652.tif 000003
【図２】
2015044652.tif 000004
【図３】
2015044652.tif 000005
【図４】
2015044652.tif 000006
【手続補正書】
【提出日】平成26年9月29日(2014.9.29)
【手続補正１】
【補正対象書類名】特許請求の範囲
【補正対象項目名】全文
【補正方法】変更
【補正の内容】
【特許請求の範囲】
【請求項１】
エレベータの各乗場に設置された乗場表示装置および乗場音声出力装置と、乗りかごに設置されたかご内表示装置およびかご内音声出力装置とに接続されたエレベータ制御装置において、
現在日時情報を取得する内部計時部と、
前記エレベータが利用できない状態となる点検作業開始日時を含む点検作業情報を取得して記憶する点検作業情報記憶部と、
前記内部計時部で取得された現在日時情報が、前記記憶された点検作業情報に含まれる点検作業開始日時の所定期間前以降、且つ前記点検作業開始日時前であるか否かを判定する判定部と、
前記現在日時情報が、前記点検作業開始日時の所定期間前以降、且つ前記点検作業開始日時前であると判定されたときに、前記点検作業情報記憶部に記憶された点検作業情報を取得し、取得した点検作業情報を、前記乗場表示装置および前記かご内表示装置にテキスト文字で表示させる表示制御部と、
前記現在日時情報が、前記点検作業開始日時の所定期間前以降、且つ前記点検作業開始日時前であると判定されたときに、前記点検作業情報記憶部に記憶された点検作業情報を取得し、前記乗場音声出力装置および前記かご内音声出力装置から所定時間間隔で音声で出力させる音声出力制御部と
を備えることを特徴とするエレベータ制御装置。
【請求項２】
前記表示制御部により点検作業情報が表示され、また前記音声出力制御部により点検作業情報が出力された後に、変更された点検作業情報を取得すると、当該変更された点検作業情報に基づいて、前記点検作業情報記憶部に記憶された点検作業情報を更新する点検作業情報更新部をさらに備え、
前記表示制御部は、前記点検作業情報記憶部に記憶された点検作業情報が更新されたことを検知すると、前記乗場表示装置および前記かご内表示装置に、前記変更された点検作業情報をテキスト文字で表示させ、
前記音声出力制御部は、前記点検作業情報記憶部に記憶された点検作業情報が更新されたことを検知すると、前記乗場音声出力装置および前記かご内音声出力装置から、前記変更された点検作業情報とともに、点検作業情報が変更されたことを報知する情報を音声で出力させる
ことを特徴とする請求項１に記載のエレベータ制御装置。
【手続補正２】
【補正対象書類名】明細書
【補正対象項目名】０００７
【補正方法】変更
【補正の内容】
【０００７】
上記目的を達成するための実施形態によればエレベータ制御装置は、内部計時部と、点検作業情報記憶部と、判定部と、表示制御部と、音声出力制御部とを備える。内部計時部は、現在日時情報を取得する。点検作業情報記憶部は、エレベータが利用できない状態となる点検作業開始日時を含む点検作業情報を取得し、記憶する。判定部は、現在日時情報が点検作業情報に含まれる点検作業開始日時の所定期間前以降、且つ点検作業開始日時前であるか否かを判定する。現在日時情報が点検作業情報に含まれる点検作業開始日時の所定期間前以降、且つ点検作業開始日時前であると判定されると、表示制御部は点検作業情報を乗場表示装置およびかご内表示装置にテキスト文字で表示させ、音声出力制御部は点検作業情報を乗場音声出力装置およびかご内音声出力装置から音声で出力させる。